【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
インクを吐出するための記録素子を複数備えた記録ヘッドを用いて、記録媒体に画像を記録するインクジェット記録装置において、
前記記録ヘッドの記録素子による吐出回数をカウントするカウント手段と、
前記カウント手段によって得られた前記吐出回数に基づいて、前記記録ヘッドの予備吐出動作が必要かどうかを判断する判断手段と、
前記判断手段による判断結果に応じて、前記記録ヘッドの前記記録素子より前記予備吐出を実行させる手段と
を具備し、前記判断手段は、前記記録ヘッドが備える複数の記録素子のうち一部の記録素子のみを使用して記録動作を実行する場合、前記一部の記録素子についてカウントされた前記吐出回数に基づいて前記予備吐出動作が必要かどうかを判断することを特徴とするインクジェット記録装置。
【請求項２】
インクを吐出するための記録素子を複数備えた記録ヘッドを用いて、記録媒体に画像を記録するインクジェット記録装置において、
前記記録媒体の中央部に対して前記記録ヘッドが備える複数の記録素子を用いて記録を行う第１記録動作と、前記記録媒体の先端部および後端部に対して前記複数の記録素子よりも少ない数の記録素子を用いて記録を行う第２記録動作を実行するための記録制御手段と、
前記記録ヘッドの記録素子による吐出回数をカウントするカウント手段と、
前記カウント手段によって得られた前記吐出回数に基づいて、前記記録ヘッドの予備吐出動作が必要かどうかを判断する手段と、
前記判断手段による判断結果に応じて、前記記録ヘッドの前記記録素子より前記予備吐出を実行させる手段と
を具備し、前記判断手段は、前記第２記録動作を行う場合、前記少ない数の記録素子についてカウントされた前記吐出回数に基づいて前記予備吐出動作が必要かどうかを判断し、且つ前記第１記録動作を行う場合、前記複数の記録素子についてカウントされた前記吐出回数に基づいて前記予備吐出動作が必要かどうかを判断することを特徴とするインクジェット記録装置。
【請求項３】
インクを吐出するための記録素子を複数備えた記録ヘッドを用い、記録媒体に画像を記録するインクジェット記録装置において、
記録動作を実行する場合に前記複数の記録素子のうち一部の記録素子のみが使用されるか否かを検出する検出手段と、
前記記録動作における前記記録素子による吐出回数をカウントするカウント手段と、
前記カウント手段によって得られた前記吐出回数に基づいて、前記記録ヘッドの予備吐出動作が必要かどうかを判断する判断手段と、
前記判断手段による判断結果に応じて、前記記録ヘッドの前記記録素子より前記予備吐出を実行させる手段と
を具備し、前記判断手段は、前記検出手段によって前記一部の記録素子のみが使用されると判断された場合には前記一部の記録素子に対する前記吐出回数に基づいて前記予備吐出動作が必要かどうかを判断し、前記一部の記録素子のみが使用されると判断されなかった場合には前記記録ヘッドの全ての記録素子に対する前記吐出回数に基づいて前記予備吐出動作が必要かどうかを判断することを特徴とするインクジェット記録装置。
【請求項４】
前記判断手段は、前記吐出回数と閾値とを所定の時間間隔で比較することによって前記予備吐出動作が必要かどうかを判断することを特徴とする請求項３に記載のインクジェット記録装置。
【請求項５】
前記判断手段は、前記吐出回数と閾値とを所定のタイミングで比較することによって該所定のタイミング以降の記録可能時間を設定し、該記録可能時間と前記所定の記録動作に関わる時間とを更に比較することによって前記予備吐出動作が必要かどうかを判断することを特徴とする請求項３に記載のインクジェット記録装置。
【請求項６】
前記記録ヘッドが前記記録媒体に対し相対的に走査しながらインクの吐出を行う記録主走査を実行する手段と、前記記録媒体を前記記録主走査とは交差する方向に所定量搬送させる手段とを更に備え、
前記判断手段は、前記記録主走査が実行される度に前記記録可能時間と１回の前記記録主走査に関わる時間とを比較することによって前記予備吐出動作が必要かどうかを判断することを特徴とする請求項５に記載のインクジェット記録装置。
【請求項７】
インクを吐出するための記録素子を複数備えた記録ヘッドを用いて、記録媒体に画像を記録するインクジェット記録方法において、
前記記録ヘッドの記録素子による吐出回数をカウントするカウント工程と、
前記カウント工程によって得られた前記吐出回数に基づいて、前記記録ヘッドの予備吐出動作が必要かどうかを判断する判断工程と、
前記判断工程による判断結果に応じて、前記記録ヘッドの前記記録素子より前記予備吐出を実行させる工程と
を有し、前記判断工程は、前記記録ヘッドが備える複数の記録素子のうち一部の記録素子のみを使用して記録動作を実行する場合、前記一部の記録素子についてカウントされた前記吐出回数に基づいて前記予備吐出動作が必要かどうかを判断することを特徴とするインクジェット記録方法。
【請求項８】
インクを吐出するための記録素子を複数備えた記録ヘッドを用いて、記録媒体に画像を記録するインクジェット記録方法において、前記記録媒体の中央部に対して前記記録ヘッドが備える複数の記録素子を用いて記録を行う第１記録工程と、前記記録媒体の先端部および後端部に対して前記複数の記録素子よりも少ない数の記録素子を用いて記録を行う第２記録工程と、
前記記録ヘッドの記録素子による吐出回数をカウントするカウント工程と、
前記カウント工程によって得られた前記吐出回数に基づいて、前記記録ヘッドの予備吐出動作が必要かどうかを判断する工程と、
前記判断工程による判断結果に応じて、前記記録ヘッドの前記記録素子より前記予備吐出を実行させる工程と
を有し、前記判断工程は、前記第２記録工程に関して、前記一部の記録素子についてカウントされた前記吐出回数に基づいて前記予備吐出動作が必要かどうかを判断し、且つ前記第１記録工程に関して、前記複数の記録素子についてカウントされた前記吐出回数に基づいて前記予備吐出動作が必要かどうかを判断することを特徴とするインクジェット記録方法。
【請求項９】
インクを吐出する記録素子を複数備えた記録ヘッドを用い、記録媒体に画像を記録するインクジェット記録装置の予備吐出制御方法であって、
記録動作を実行する場合に、前記複数の記録素子のうち一部の記録素子のみが使用されるか否かを検出する検出工程と、
前記記録動作における前記記録素子の吐出回数をカウントするカウント工程と、
前記カウント工程によって得られた前記吐出回数に基づいて、前記記録ヘッドの予備吐出動作が必要かどうかを判断する判断工程と、
前記判断工程による判断結果に応じて、前記記録ヘッドの前記記録素子より前記予備吐出を実行させる工程と
を有し、前記判断工程は、前記検出工程によって前記一部の記録素子のみが使用されると判断された場合には前記一部の記録素子に対する前記吐出回数に基づいて前記予備吐出動作が必要かどうかを判断し、前記一部の記録素子のみが使用されると判断されなかった場合には前記記録ヘッドの全ての記録素子に対する前記吐出回数に基づいて前記予備吐出動作が必要かどうかを判断することを特徴とする予備吐出制御方法。
【手続補正２】
【補正対象書類名】明細書
【補正対象項目名】００１４
【補正方法】変更
【補正の内容】
【００１４】
そのために本発明では、インクを吐出するための記録素子を複数備えた記録ヘッドを用いて、記録媒体に画像を記録するインクジェット記録装置において、前記記録ヘッドの記録素子による吐出回数をカウントするカウント手段と、前記カウント手段によって得られた前記吐出回数に基づいて、前記記録ヘッドの予備吐出動作が必要かどうかを判断する判断手段と、前記判断手段による判断結果に応じて、前記記録ヘッドの前記記録素子より前記予備吐出を実行させる手段とを具備し、前記判断手段は、前記記録ヘッドが備える複数の記録素子のうち一部の記録素子のみを使用して記録動作を実行する場合、前記一部の記録素子についてカウントされた前記吐出回数に基づいて前記予備吐出動作が必要かどうかを判断することを特徴とする。
【手続補正３】
【補正対象書類名】明細書
【補正対象項目名】００１５
【補正方法】変更
【補正の内容】
【００１５】
また、インクを吐出するための記録素子を複数備えた記録ヘッドを用いて、記録媒体に画像を記録するインクジェット記録装置において、前記記録媒体の中央部に対して前記記録ヘッドが備える複数の記録素子を用いて記録を行う第１記録動作と、前記記録媒体の先端部および後端部に対して前記複数の記録素子よりも少ない数の記録素子を用いて記録を行う第２記録動作を実行するための記録制御手段と、前記記録ヘッドの記録素子による吐出回数をカウントするカウント手段と、前記カウント手段によって得られた前記吐出回数に基づいて、前記記録ヘッドの予備吐出動作が必要かどうかを判断する手段と、前記判断手段による判断結果に応じて、前記記録ヘッドの前記記録素子より前記予備吐出を実行させる手段とを具備し、前記判断手段は、前記第２記録動作を行う場合、前記少ない数の記録素子についてカウントされた前記吐出回数に基づいて前記予備吐出動作が必要かどうかを判断し、且つ前記第１記録動作を行う場合、前記複数の記録素子についてカウントされた前記吐出回数に基づいて前記予備吐出動作が必要かどうかを判断することを特徴とする。
【手続補正４】
【補正対象書類名】明細書
【補正対象項目名】００１６
【補正方法】変更
【補正の内容】
【００１６】
また、インクを吐出するための記録素子を複数備えた記録ヘッドを用い、記録媒体に画像を記録するインクジェット記録装置において、記録動作を実行する場合に前記複数の記録素子のうち一部の記録素子のみが使用されるか否かを検出する検出手段と、前記記録動作における前記記録素子による吐出回数をカウントするカウント手段と、前記カウント手段によって得られた前記吐出回数に基づいて、前記記録ヘッドの予備吐出動作が必要かどうかを判断する判断手段と、前記判断手段による判断結果に応じて、前記記録ヘッドの前記記録素子より前記予備吐出を実行させる手段とを具備し、前記判断手段は、前記検出手段によって前記一部の記録素子のみが使用されると判断された場合には前記一部の記録素子に対する前記吐出回数に基づいて前記予備吐出動作が必要かどうかを判断し、前記一部の記録素子のみが使用されると判断されなかった場合には前記記録ヘッドの全ての記録素子に対する前記吐出回数に基づいて前記予備吐出動作が必要かどうかを判断することを特徴とする。
【手続補正５】
【補正対象書類名】明細書
【補正対象項目名】００１７
【補正方法】変更
【補正の内容】
【００１７】
また、インクを吐出するための記録素子を複数備えた記録ヘッドを用いて、記録媒体に画像を記録するインクジェット記録方法において、前記記録ヘッドの記録素子による吐出回数をカウントするカウント工程と、前記カウント工程によって得られた前記吐出回数に基づいて、前記記録ヘッドの予備吐出動作が必要かどうかを判断する判断工程と、前記判断工程による判断結果に応じて、前記記録ヘッドの前記記録素子より前記予備吐出を実行させる工程とを有し、前記判断工程は、前記記録ヘッドが備える複数の記録素子のうち一部の記録素子のみを使用して記録動作を実行する場合、前記一部の記録素子についてカウントされた前記吐出回数に基づいて前記予備吐出動作が必要かどうかを判断することを特徴とする。
【手続補正６】
【補正対象書類名】明細書
【補正対象項目名】００１８
【補正方法】変更
【補正の内容】
【００１８】
さらに、インクを吐出するための記録素子を複数備えた記録ヘッドを用いて、記録媒体に画像を記録するインクジェット記録方法において、前記記録媒体の中央部に対して前記記録ヘッドが備える複数の記録素子を用いて記録を行う第１記録工程と、前記記録媒体の先端部および後端部に対して前記複数の記録素子よりも少ない数の記録素子を用いて記録を行う第２記録工程と、前記記録ヘッドの記録素子による吐出回数をカウントするカウント工程と、前記カウント工程によって得られた前記吐出回数に基づいて、前記記録ヘッドの予備吐出動作が必要かどうかを判断する工程と、前記判断工程による判断結果に応じて、前記記録ヘッドの前記記録素子より前記予備吐出を実行させる工程とを有し、前記判断工程は、前記第２記録工程に関して、前記一部の記録素子についてカウントされた前記吐出回数に基づいて前記予備吐出動作が必要かどうかを判断し、且つ前記第１記録工程に関して、前記複数の記録素子についてカウントされた前記吐出回数に基づいて前記予備吐出動作が必要かどうかを判断することを特徴とする。
【手続補正７】
【補正対象書類名】明細書
【補正対象項目名】００１９
【補正方法】変更
【補正の内容】
【００１９】
更にまた、インクを吐出する記録素子を複数備えた記録ヘッドを用い、記録媒体に画像を記録するインクジェット記録装置の予備吐出制御方法であって、記録動作を実行する場合に、前記複数の記録素子のうち一部の記録素子のみが使用されるか否かを検出する検出工程と、前記記録動作における前記記録素子の吐出回数をカウントするカウント工程と、前記カウント工程によって得られた前記吐出回数に基づいて、前記記録ヘッドの予備吐出動作が必要かどうかを判断する判断工程と、前記判断工程による判断結果に応じて、前記記録ヘッドの前記記録素子より前記予備吐出を実行させる工程とを有し、前記判断工程は、前記検出工程によって前記一部の記録素子のみが使用されると判断された場合には前記一部の記録素子に対する前記吐出回数に基づいて前記予備吐出動作が必要かどうかを判断し、前記一部の記録素子のみが使用されると判断されなかった場合には前記記録ヘッドの全ての記録素子に対する前記吐出回数に基づいて前記予備吐出動作が必要かどうかを判断することを特徴とする。